(57)【要約】【課題】  腕時計バンドの尾錠であって、突棒と挿通枠部との接触を回避して、長期にわたり美観を維持できる尾錠を提供することにある。【解決手段】  腕時計バンドの尾錠１であって、一方のバンド部２０に回転可能に連結されて、他方のバンド部３０を挿通するための挿通枠部２と、一方のバンド部２０に回転可能に連結されて、他方のバンド部３０の長さ調整孔３２に挿入される突棒２１と、他方のバンド部３０における、挿通枠部２を通過して一方のバンド部２０の上方に位置する重ね領域３１に対して、その上方に位置できるように挿通枠部２より延出する延出部３と、を含み、この延出部３は、突棒２１が通過できるスリット６を備える。延出部３におけるスリット６の近傍には、輝石のような装飾要素８と１０が配置されることが好ましい。【選択図】  図２
2007252739.tif 000002
【特許請求の範囲】
【請求項１】
腕時計バンドの尾錠であって、
一方のバンド部に回転可能に連結されて、他方のバンド部を挿通するための挿通枠部と、一方のバンド部に回転可能に連結されて、他方のバンド部の長さ調整孔に挿入される突棒と、
他方のバンド部における、挿通枠部を通過して一方のバンド部の上方に位置する重ね領域に対して、その上方に位置できるように挿通枠部より延出する延出部と、
を含み、
延出部は、突棒が通過できるスリットを備える腕時計バンドの尾錠。
【請求項２】
請求項１に記載された尾錠であって、
延出部は、挿通枠部より延出する２つのアーム部を含み、
２つのアーム部における開放端の間に、スリットが形成される腕時計バンドの尾錠。
【請求項３】
請求項２に記載された尾錠であって、
アーム部の開放端近傍に装飾要素が配置される腕時計バンドの尾錠。
【請求項４】
請求項２に記載された尾錠であって、
２つのアーム部の開放端それぞれより挿通枠部の内方に向けて延出する脚部を含み、
２つの脚部の間にスリットが形成される腕時計バンドの尾錠。
【請求項５】
請求項４に記載された尾錠であって、
脚部に装飾要素が配置される腕時計バンドの尾錠。
【請求項６】
請求項１に記載された尾錠であって、
延出部は、外方に向けて湾曲する湾曲部を備え、
湾曲部の内側にスリットが形成される腕時計バンドの尾錠。
【請求項７】
請求項６に記載された尾錠であって、
湾曲部の頂点近傍に装飾要素が配置される腕時計バンドの尾錠。
【請求項８】
請求項１から７のいずれかに記載された尾錠であって、
延出部より他方のバンド部における重ね領域に向けて部分的に突出し、重ね領域に接触するための、凸状の接触部を備える腕時計バンドの尾錠。
【請求項９】
請求項８に記載された尾錠であって、
接触部は、装飾要素を配置するための台座部である腕時計バンドの尾錠。
【請求項１０】
請求項１から７のいずれかに記載された尾錠を備える腕時計バンド。
【請求項１１】
請求項１から７のいずれかに記載された尾錠を備える腕時計。
【発明の詳細な説明】
【技術分野】
【０００１】
本発明は、たとえばブレスレットやベルトなどのように、身体に巻回されて装着される帯状装身具、好ましくは腕時計に用いられる尾錠に関する。
【背景技術】
【０００２】
腕時計バンド、特に、皮革バンド、合成樹脂製バンド、ゴム製バンド、布製バンド、不織布製バンド、メッシュバンド、ラセンバンドのように、柔軟に撓む可撓性の腕時計バンドには、尾錠と呼ばれる中留が多用される。また、最近では、略Ｃ型に湾曲された剛体のバングルバンドにも、この尾錠が用いられる。バングルバンドは、たとえば、金属や硬質な合成樹脂などから成る。
この尾錠にも、今までに当業者の手によって様々な改良が加えられてきた。その１つとして、挿通枠部が延出部を備える尾錠が知られている（特許文献１参照）。
【０００３】
この尾錠の代表例が、図１２から１５までに示される。
尾錠５０は、挿通枠部５１を含む。挿通枠部５１は、バンドの長手方向に沿って平行に延びる２本の長手縁部５１ａと、バンドの幅方向に沿って延びる横縁部５１ｂを含む。横縁部５１ｂが２本の長手縁部５１ａをつなぎ、略Ｕ字型の枠体が形成される。
挿通枠部５１は、さらに、２本の長手縁部５１ａそれぞれより延出する延出部５２を含む。延出部５２は、２本の長手縁部５１ａをバンドの幅方向に沿って架橋する。
この挿通枠部５１は、連結部材である連結ピン２３によって、突棒２１と共に、一方のバンド部２０に回転可能に取り付けられる。詳しくは、突棒２１と一方のバンド部２０とに挿通された連結ピン２３の両端が、２本の長手縁部５１ａそれぞれに形成された連結孔５１ｃ内に挿入される。
ここで、バンドの長手方向とは、バンドの周に沿った方向であり、図１０中の矢印Ｌで示される。バンドの幅方向とは、長手方向に直交する方向であり、同図中の矢印Ｗで示される。
【０００４】
図１３に示されるように、挿通枠部５１の下方から、他方のバンド部３０が挿通枠部５１内に挿通される。他方のバンド部３０は、上下に貫通された、複数の長さ調整孔３２を備える。腕時計を装着する者の手首の太さに合わせて、複数の長さ調整孔３２の中から１つの孔が選択される。その選択された孔に突棒２１が挿入される。
他方のバンド部３０の開放端部分は、挿通枠部５１を通過して、延出部５２の下をくぐって、一方のバンド部２０の上方に重ねられる。この他方のバンド部３０における、一方のバンド部２０の上方に重ねられた領域が、重ね領域３１として図示される。
他方のバンド部３０の重ね領域３１は、一方のバンド部２０の上面と、延出部５２の下面との間で区画された領域を通って、一方のバンド部２０の上面に重ねられる。重ね領域３１は、さらに、抑え環２２内に引き通されてもよい。
なお、ここで上下とは、図面の上下方向に準ずる。よって、上面とは、腕時計を手首に装着した状態において外方に露出する面であり、下面とは、同状態において手首と相対する面である。
【０００５】
また、一方のバンド部と他方のバンド部とは、腕時計ケースに連結された、２本の別個のバンドそれぞれであってもよい。あるいは、一方のバンド部と他方のバンド部とは、腕時計ケースに引き通された単一のバンドにおける、一端部と他端部であってもよい。
また、重ね領域とは、一方のバンド部の上方に位置する領域であって、一方のバンド部への接触、あるいは非接触を問わない。さらに、重ね領域とは、これと一方のバンド部との間に他の部材が介在することを排除しない。
【０００６】
この尾錠５０においては、延出部５２によって、他方のバンド部３０が、一方のバンド部２０の上面に向けて押しつけられる。このため、突棒２１によって上方に押し上げられようとも、他方のバンド部３０は、一方のバンド部２０の上面から浮き上がらない。よって、他方のバンド部３０に折曲しわが生じないので、他方のバンド部３０の美観を損ねないばかりか、バンド部の装着感も良い。
このように、この尾錠５０には、装着感、およびバンド部の美観、ひいては腕時計の美観を改善するという利点があった。
【特許文献１】実公平２−２３１４０号公報
【発明の開示】
【発明が解決しようとする課題】
【０００７】
しかしながら、尾錠５０には、次のような問題がある。
（１）図１４に示されるように、挿通枠部５１が下方に向けて回動したり、あるいは突棒１１が上方に向けて回動したりすると、延出部５２の上面が突棒１１とが接触して、両者とも傷ついてしまう。特に、延出部５２の上面に発生した傷は、手首に装着された腕時計にあっては外方に露出するので、極めて視認されやすい。よって、尾錠５０の美観、ひいては腕時計の美観が著しく損なわれるという問題があった。
（２）また、図１５に示されるように、挿通枠部５１が上方に向けて回動する度に、延出部５２が、他方のバンド部３０における重ね領域３１の上面に接触する。延出部５２は、他方のバンド部３０の上面における同一の箇所に、バンドの幅方向に沿って、かつバンドの幅全体にわたって傷をつける。これが繰り返されると、他方のバンド部３０の上面に生じた傷は深くなり、他方のバンド部３０の美観が損なわれるばかりか、他方のバンド部３０が切れてしまうという問題があった。
【０００８】
よって、上記の問題点を解決しようとする本発明の目的は、以下の通りである。
（１）突棒と延出部との接触を回避して、長期にわたり美観を維持できる尾錠を提供すること。
（２）延出部との接触によって、他方のバンド部の耐久性が劣化しにくい尾錠を提供すること。
【課題を解決するための手段】
【０００９】
上記の問題点を解決しようとする本発明の腕時計バンドの尾錠は、
「一方のバンド部に回転可能に連結されて、他方のバンド部を挿通する挿通枠部と、
一方のバンド部に回転可能に連結されて、他方のバンド部の長さ調整孔に挿入される突棒と、
他方のバンド部における、挿通枠部を通過して一方のバンド部の上方に位置する重ね領域に対して、その上方に位置できるように挿通枠部より延出する延出部と、
を含み、
延出部は、突棒が通過できるスリットを備える」ものである。
【００１０】
この構成により、挿通枠部が下方に向けて回動したり、あるいは突棒が上方に向けて回動したりしても、突棒は、スリットを通過するので、決して延出部と接触しない。したがって、延出部にも突棒にも両者の接触に起因する傷が発生しないので、延出部も突棒も長期にわたり美観を維持できる。さらに、延出部と突棒の耐久性も改善される。
【００１１】
また、本発明の腕時計バンドの尾錠は、
「延出部は、挿通枠部より延出する２つのアーム部を含み、２つのアーム部における開放端の間に、スリットが形成される」ことが好ましい。
この構成により、極めて簡単な構造によって、スリットを備える延出部が実現される。
【００１２】
また、この場合、本発明の腕時計バンドの尾錠は、
「アーム部の開放端近傍に装飾要素が配置される」ことが好ましい。
人間の視点は、閉じた図形を成す矩形や円形の枠体に対しては、その外周に沿って周回し、特定の場所に留まらない。しかしながら、この枠体の一部が分断されて、相対する開放端が枠体に形成されれば、人間の視点は、それら開放端に留まる。
よって、アーム部の開放端近傍に装飾要素が配置されれば、この装飾要素は、人間の視線を集めやすいので、極めて目立つ。その結果、これら装飾部材によって、尾錠の延出部の美観が著しく高められる。
この装飾要素は、観る者に美感を与えるものであるならば、なんら限定されるものではない。たとえば、この装飾要素として、宝石や貴石などの輝石が採用される。あるいは、装飾要素として、マークや絵柄などの印刷や彫り込みなどが採用される。またあるいは、装飾要素として、立体的なエンブレムなどが採用されてもよい。
【００１３】
また、この場合、本発明の腕時計バンドの尾錠は、
「２つのアーム部の開放端それぞれより挿通枠部の内方に向けて延出する脚部を含み、２つの脚部の間にスリットが形成される」ものであってもよい。
前述したように、従来の尾錠は、延出部のみが、他方のバンド部の重ね領域を、一方のバンド部の上面に向けて押しつける。これに対して、本発明の尾錠は、延出部より延びる脚部が、より広い面積で他方のバンド部の重ね領域に接触し、重ね領域を一方のバンド部の上面に向けて確実に押しつける。よって、本発明の尾錠においては、従来の尾錠より、他方のバンド部が、一方のバンド部の上面から、さらに確実に浮き上がらなくなるので、バンド部の装着感と美観が、さらに改善される。
この脚部は、バンドの長手方向に沿って延出部より延びることが好ましい。すると、脚部が、バンドの長手方向に沿って他方のバンド部の重ね領域を一方のバンド部の上面に向けて押圧するので、他方のバンド部は一方のバンド部の上面に確実に押さえつけられる。
この脚部と他方のバンド部とが接触する接触面積が広いほど、他方のバンド部は一方のバンド部の上面に確実に押さえつけられる。
【００１４】
さらに、この場合、本発明の腕時計バンドの尾錠は、「脚部に装飾要素が配置される」ことが好ましい。
すると、装飾要素を配置する台座部として、脚部が利用されるので、部品点数を増やすことなく、簡単な構造によって、装飾要素が延出部に配置される。
また、装飾要素を配置する台座部として、脚部が利用されるので、従来の尾錠より、装飾要素を大きくしたり、あるいは装飾要素の数を増やしたりできる。よって、尾錠の美観がさらに向上する。
【００１５】
また、本発明の腕時計バンドの尾錠は、
「延出部は、外方に向けて湾曲する湾曲部を備え、湾曲部の内側にスリットが形成される」ものであってもよい。
このように湾曲部によってスリットが形成されれば、スリットによって延出部が分断されない。よって、延出部の耐久性、ひいては挿通枠部の耐久性が向上される。この湾曲部は、たとえば挿通枠部と延出部が構成する枠体の外方に向けて、略Ｕ字型に湾曲する。
【００１６】
また、この場合、本発明の腕時計バンドの尾錠は、
「湾曲部の頂点近傍に装飾要素が配置される」ことが好ましい。
人間の視点は、閉じた図形を成す矩形や円形の枠体に対しては、その外周に沿って周回するが、この枠体に突出する湾曲部が形成されれば、人間の視点は、この湾曲部の頂点近傍に留まる。
よって、湾曲部の頂点近傍に装飾要素が配置されれば、この装飾要素は、視線を集めや
すいので、極めて目立つ。その結果、この装飾部材によって、尾錠の延出部の美観が著しく高められる。
【００１７】
また、本発明の腕時計バンドの尾錠は、
「延出部より他方のバンド部における重ね領域に向けて部分的に突出し、重ね領域に接触するための、凸状の接触部を備える」ことができる。
この構成により、挿通枠部が回動しようとも、他方のバンド部における重ね領域と接触するのは、延出部全体ではなく、凸状の接触部のみである。よって、本発明の尾錠は、従来の尾錠のように、バンドの幅方向に沿って、かつバンドの幅全体にわたって、他方のバンド部の上面を傷つけることはない。
このように、他方のバンド部の上面は、延出部と接触しようとも傷がつきにくくなるので、結果として他方のバンド部の耐久性が改善される。
【００１８】
また、この場合、本発明の腕時計バンドの尾錠は、
「接触部は、装飾要素を配置するための台座部である」ことが好ましい。
これにより、台座部が接触部を兼ねるので、部品点数を増やすことなく、かつ簡単な構造によって、接触部が実現される。
【発明の効果】
【００１９】
本発明によれば、より簡単な構造で、かつ、より確実に、下記の効果を得る。
（１）突棒と延出部との接触を回避して、長期にわたり美観を維持できる尾錠が提供される。
（２）延出部との接触によって、他方のバンド部の耐久性が劣化しにくい尾錠が提供される。
【発明を実施するための最良の形態】
【００２０】
以下、本発明の実施形態が図面に基づいて説明される。なお、前述の従来技術と同じ部品には同じ番号を付することで、それらの部品への説明が省略される。また、本発明は、以下の実施形態に限定されるものではない。
【００２１】
（第１実施形態）
図１は本発明における第１実施形態に係る尾錠の分解斜視図、
図２は本発明における第１実施形態に係る尾錠の施錠前の斜視図、
図３は本発明における第１実施形態に係る尾錠の施錠後の斜視図、
図４は本発明における第１実施形態に係る尾錠の別の斜視図、
図５は本発明における第１実施形態に係る尾錠のさらに別の斜視図、
図６は本発明における第１実施形態に係る尾錠の平面図、
図７は本発明における第１実施形態に係る尾錠における要部の切断側面図、
図８は同尾錠における要部の別の切断側面図である。
本発明における尾錠１は、挿通枠部２を含む。挿通枠部２は、従来技術と同じく、バンドの長手方向に沿って平行に延びる２本の長手縁部２ａと、バンドの幅方向に沿って延びる横縁部２ｂを含む。横縁部２ｂが２本の長手縁部２ａをつなぎ、略Ｕ字型の枠体が形成される。
【００２２】
長手縁部２ａそれぞれは、下方に突出する半円状の連結部２ｃを含む。連結部２ｃそれぞれには、バンドの幅方向に沿って連結孔２ｄが貫通される。連結部２ｃそれぞれは、バンドの幅方向に沿って相対し、それぞれの連結孔２ｄは、バンドの幅方向に沿って同軸上に位置する。
挿通枠部２は、さらに、２本の長手縁部２ａそれぞれより延出する延出部３を含む。延出部３は、長手縁部２ａにおける連結部２ｃが位置する近傍それぞれより、バンドの長手
方向に沿って延出する。
ここで、バンドの長手方向とは、バンドの周に沿った方向であり、図２中の矢印Ｌで示される。バンドの幅方向とは、長手方向に直交する方向であり、同図中の矢印Ｗで示される。
また、上下方向は、図１〜５においては、図面の上下方向に準ずる。よって、ここで上面とは、腕時計を手首に装着した状態において外方に露出する面であり、下面とは、同状態において手首と相対する面である。
【００２３】
延出部３は、一方の長手縁部２ａより一体的に延びる一方のアーム部４と、他方の長手縁部２ａより一体的に延びる他方のアーム部５と、を含む。
一方のアーム部４は、長手縁部２ａと繋がって、バンドの長手方向に沿って延びる長手アーム４ａを含む。長手アーム４ａの開放端より、バンドの幅方向に沿って、かつ他方のアーム部５に向けて、横アーム４ｂが延出する。一方のアーム部４は、横アーム４ｂの開放端に配置された、略直方体形状の一方の台座部７をさらに含む。この一方の台座部７の上面には、装飾要素８が固定される。
同様に、他方のアーム部５は、長手縁部２ａと繋がって、バンドの長手方向に沿って延びる長手アーム５ａを含む。長手アーム５ａの開放端より、バンドの幅方向に沿って、かつ一方のアーム部４に向けて、横アーム５ｂが延出する。他方のアーム部５は、横アーム５ｂの開放端に配置された、略直方体形状の他方の台座部９をさらに含む。この他方の台座部９の上面には、装飾要素１０が固定される。
【００２４】
図６を参照すれば、長手アーム４ａと長手アーム５ａとは、バンドの長手方向に沿って平行に延びる。横アーム４ｂと横アーム５ｂとは、バンドの幅方向に沿って互いに接近するように、同じ距離だけ延びる。そして、台座部７と台座部９とは、バンドの幅方向に沿って相対する。  
これら台座部７と台座部９との間に、上下に貫通した空間であるスリット６が形成される。このスリット６は、挿通枠部２の延出部３をバンドの幅方向に沿って等分する中央近傍に位置することが、同図から理解される。
なお、図６において、バンドの長手方向とは図面の左右方向に準じ、バンドの幅方向とは、同図面の上下方向に準ずる。また、上下方向とは、同図面の紙面に垂直な方向に準ずる。
【００２５】
この挿通枠部２は、連結部材である連結ピン２３によって、一方のバンド部２０に回転可能に取り付けられる。
詳しくは、一方のバンド部２０の開放端近傍に、バンドの幅方向に沿って連結孔２０ａが貫通する。また、一方のバンド部２０の開放端近傍には、連結孔２０ａに通じる切り欠けが形成され、この切り欠けに突棒２１の端部が配置される。突棒２１は、一方のバンド部２０の開放端をバンドの幅方向に沿って等分する中央近傍に位置する。
連結ピン２３は、一方のバンド部２０の連結孔２０ａと突棒２１に挿通される。この連結ピン２３の両端それぞれは、挿通枠部２における連結部２ｃの連結孔２ｄそれぞれに挿入される。よって、図２に示されるように、一方のバンド部２０の開放端に、連結ピン２３によって、挿通枠部２と突棒２１が回転可能に連結される。
この状態において、突棒２１の開放端は、バンドの幅方向に沿う連結ピン２３を回転軸とした円弧を描くように、所定の範囲を回転する。この突棒２１の開放端が描く軌跡は、バンドの長手方向に沿った、かつ上下方向に沿った径を備える円弧となる。
【００２６】
再び図６を参照すれば、スリット６は、この突棒２１の回転軌跡が通過できる位置に形成されることが理解される。すなわち、スリット６と突棒２１とは、バンドの長手方向に沿った１本の直線上に配置される。また、スリット６のバンドの幅方向に沿った距離、すなわち台座部７と台座部９との間のバンドの幅方向に沿った距離は、突棒２１におけるバ
ンドの幅方向に沿った厚みより充分広い。
よって、図５に示されるように、挿通枠部２が下方に向けて回動したり、あるいは突棒２２が上方に向けて回動したりしても、突棒２１は、スリット６を通過するので、決して挿通枠部２の延出部３とは接触しない。
したがって、延出部３にも突棒２１にも、両者の接触に起因する傷が発生しないので、延出部３も突棒２１も長期にわたり美観を維持できる。
【００２７】
図３に示されるように、他方のバンド部３０が挿通枠部２に連結される。
より詳しくは、挿通枠部２の下方から、他方のバンド部３０が挿通枠部３内に挿通される。他方のバンド部３０は、上下に貫通された、複数の長さ調整孔３２を備える。腕時計を装着する者の手首の太さに合わせて、複数の長さ調整孔３２の中から１つの孔が選択されて、その孔に突棒２１が挿入される。
他方のバンド部３０の開放端部分は、挿通枠部２を通過して、延出部３、すなわち横アーム４ｂと横アーム５ｂ、および台座部７と台座部９の下をくぐって、一方のバンド部２０の上方に重ねられる。この他方のバンド部３０における、一方のバンド部２０の上方に重ねられた領域が、重ね領域３１として図示される。
他方のバンド部３０の重ね領域３１は、一方のバンド部２０の上面と、延出部５２の下面との間で区画された領域を通って、一方のバンド部２０の上面に重ねられる。重ね領域３１は、さらに、抑え環２２内に引き通されてもよい。
【００２８】
この状態において、延出部５２が、詳しくは一方のアーム部４の台座部７と、他方のアーム部５の台座部９とが、他方のバンド部３０の重ね領域３１の上面に接触する。
よって、台座部７と台座部９が、他方のバンド部３０を、一方のバンド部２０の上面に向けて押しつける。このため、突棒２１によって上方に押し上げられようとも、他方のバンド部３０は、一方のバンド部２０の上面から浮き上がらない。
このように、台座部７と台座部９は、他方のバンド部３０の重ね領域３１に圧接するための接触部を兼ねる。
【００２９】
図７は、図６におけるＡ−Ａ線による切断側面図であり、図８は、図６におけるＢ−Ｂ線による切断側面図である。
これらの図を参照すれば、一方のアーム部４における長手アーム４ａの上面、および横アーム４ｂの上面は、同一平面を成す。しかしながら、横アーム４ｂにおける上下方向の厚みは、長手アーム４ａにおける上下方向の厚みより薄い。その反面、横アーム４ｂにつながった台座部７における上下方向の厚みは、横アーム４ｂにおける上下方向の厚みより厚い。この台座部７の下面は、長手アーム４ａの下面と同一平面を成す。
結果として、横アーム４ｂを基準にすれば、台座部８は下方に突出する。
同様に、他方のアーム部５における長手アーム５ａの上面、および横アーム５ｂの上面は、同一平面を成す。しかしながら、横アーム５ｂの厚みは、長手アーム５ａの厚みより薄い。その一方、横アーム５ｂにつながった台座部９の厚みは、横アーム５ｂの厚みより厚い。この台座部９の下面は、長手アーム５ａの下面と同一平面を成す。
結果として、横アーム５ｂを基準にすれば、台座部９は下方に突出する。
【００３０】
図４を参照すれば、延出部３である一方のアーム部４と他方のアーム部５より、台座部７と台座部９とが部分的に下方に向けて突出することが、さらによく理解される。台座部７と台座部９双方は、下方に向けて、あるいは他方のバンド部３０の重ね領域３１の上面に向けて、部分的に突出する凸状の接触部として機能する。これら台座部７の下面７ａと、台座部９の下面９ａそれぞれが、重ね領域３１の上面に接触するための接触面として機能する。
よって、挿通枠部２が回動しようとも、他方のバンド部３０における重ね領域３１と接触するのは、延出部３全体ではなく、台座部７と台座部９の接触面のみである。結果とし
て、延出部３と接触しようとも、他方のバンド部３０の上面は傷がつきにくくなり、他方のバンド部３０の耐久性も向上する。
【００３１】
また、図４と７とを参照すれば、挿通枠部２の横縁部２ｂにおける上下方向に沿った厚みは、２本の長手縁部２ａにおける上下方向に沿った厚みより薄い。結果として、２本の長手縁部２ａの間には、横縁部２ｂの下面を底面として、上方向に向けてくぼんだ凹部形状の段部２ｅが形成される。２本の長手縁部２ａそれぞれにおける、バンドの長手方向に沿った内側面が、段部２ｅにおけるバンドの幅方向に沿って相対する内壁面を成す。
図３を参照すれば、この段部２ｅ内に他方のバンド部３０が挿入されることがわかる。よって、尾錠、および尾錠に連結されたバンド部を含む全体の上下方向に沿う厚みが薄くなるので、これらの美観が向上されるばかりか、これらの装着感も向上される。
また、このとき、他方のバンド部３０におけるバンドの幅方向に沿う動きは、段部２ｅの内壁面である２本の長手縁部２ａに阻まれる。よって、他方のバンド部３０が不用意に動かないので、さらにこれらの装着感が改善される。
【００３２】
さてここで、再び図７と８を参照すれば、一方のアーム部４の開放端近傍に配置された台座部７には、装飾要素８として輝石が固定される。詳しくは、台座部７の上面に穿設された凹部７ｂ内に、上面視で略矩形の輝石が接着固定される。
同様に、他方のアーム部５の開放端近傍に配置された台座部９には、装飾要素１０として輝石が固定される。台座部９の上面に穿設された凹部９ｂ内に、上面視で略矩形の輝石が接着固定される。
前述したように、アーム部４と５の開放端近傍は、観る人の視点を滞留させる。したがって、アーム部４と５の開放端近傍に配置された、これら装飾要素８と１０それぞれは、極めて目立つことになり、その結果、尾錠１の延出部３の美観を著しく高める。
【００３３】
なお、この実施形態では、突棒２１を１本としたが、突棒は連結ピン２３に沿って並列するように複数あってもよい。その場合、他方のバンドにおける長さ調整孔も、複数の突棒を挿入できるように、バンドの幅方向に並列する。また、挿通枠部２の延出部３に形成されるスリットのバンドの幅方向に沿う間隔、すなわち２つの台座部の間の距離も、回転する複数の突棒のいずれもが通過できるだけの距離に設定される。
【００３４】
さらに、この実施形態では、輝石である装飾要素８と１０が、台座部７と９に接着固定された。しかしながら、他の固定手段を用いて、装飾要素が台座部に載置されてもよい。たとえば、装飾要素を台座部に向けて押さえつける複数の係止爪が、台座部の上面に形成されてもよい。
さらになお、加工の便宜を考慮して、別体の台座部がアーム部に固定されてもよい。この場合、ロー付けや溶接などの周知の固定手段が採用される。
【００３５】
（第２実施形態）
図９は本発明における第２実施形態に係る尾錠の平面図である。
前述の第１実施形態と同じ部品には同じ番号を付することで、それらの部品への説明が省略される。
第１実施形態と同様に、延出部３は、一方のアーム部４と他方のアーム部５とを含む。
一方のアーム部４は、長手アーム４ａと、横アーム４ｂとを含む。この一方のアーム部４は、直方体形状を成す一方の脚部１１をさらに含む。一方の脚部１１は、横アーム４ｂの開放端より、バンドの長手方向に沿って、挿通枠部２の内方、すなわち挿通枠部２の枠内部に向けて延出する。すなわち、一方の脚部１１は、その開放端が突棒２１、あるいは横縁部２ｂに接近するように延びる。
この一方の脚部１１の上面に、３個の装飾要素８が、バンドの長手方向に沿って載置される。このように、この一方の脚部１１は、第１実施形態における一方の台座部をも兼ね
る。
【００３６】
同様に、他方のアーム部５は、長手アーム５ａと、横アーム５ｂとを含む。他方のアーム部５は、直方体形状を成す他方の脚部１２をさらに含む。他方の脚部１２は、横アーム５ｂの開放端より、バンドの長手方向に沿って、挿通枠部２の内方、すなわち挿通枠部２の枠内部に向けて延出する。すなわち、他方の脚部１２は、その開放端が突棒２１、あるいは横縁部２ｂに接近するように延びる。
この他方の脚部１２の上面に、３個の装飾要素１０が、バンドの長手方向に沿って載置される。このように、この他方の脚部１２は、第１実施形態における他方の台座部をも兼ねる。
【００３７】
図９より、一方の脚部１１と他方の脚部１２とは、バンドの幅方向に相対するように並列することが理解される。これら一方の脚部１１と他方の脚部１２との間に、上下に貫通した空間であるスリット６が、バンドの長手方向に沿って形成される。スリット６が、延出部３に対して相対的に回動する突棒２１を通過させる。
一方の脚部１１と他方の脚部１２における、バンドの長手方向に沿った長さは、他方のバンド部３０が挿通枠部２を通過できる空間を余す範囲内において、その長短を設定される。すなわち、一方の脚部１１と他方の脚部１２の開放端それぞれが、挿通枠部２に挿通される他方のバンド部３０と干渉しないように、両脚部の長さは設定される。
【００３８】
また、同図の上下方向に沿った分断線による部分的な切断側面図は、前述の第１実施形態における図８に代換される。
よって、延出部３より延びる一方の脚部１１と他方の脚部１２とは、下方に向けて、あるいは他方のバンド部３０の重ね領域３１の上面に向けて、部分的に突出する凸状の接触部として機能する。これら脚部１１と１２の下面それぞれが、重ね領域３１の上面に接触するための接触面として機能する。
【００３９】
この第２実施形における尾錠は、延出部３より延びる一方の脚部１１と他方の脚部１２とによって、他方のバンド部３０の重ね領域３１が、一方のバンド部２０の上面に向けて押しつけられる。一方の脚部１１と他方の脚部１２とは、バンドの長手方向に沿って、従来の尾錠より広い接触面積で他方のバンド部３０の重ね領域３１に接触し、重ね領域３１を一方のバンド部２０の上面に向けて押圧する。
よって、さらに他方のバンド部３０は、一方のバンド部２０の上面から浮き上がらなくなり、バンド部の装着感と美観が、さらに改善される。
さらに、装飾要素８と１０を配置する台座部として、一方の脚部１１と他方の脚部１２とが利用されるので、部品点数を増やすことなく、簡単な構造によって、装飾要素が延出部３に配置される。さらに、図示されるように、装飾要素の数を増やすこともきるので、尾錠の美観がさらに向上する。
【００４０】
この第２実施形の尾錠における、説明されない他の部分は、第１実施形における尾錠と同じである。
なお、この第２実施形における尾錠では、一方の脚部１１と他方の脚部１２の上面に、それぞれ３個ずつ装飾要素８と１０とが載置されたが、これら脚部の上面全体にわたる、単一の大きな装飾要素が、これら脚部の上面に載置されてもかまわない。
【００４１】
（第３実施形態）
図１０は本発明における第３実施形態に係る尾錠の平面図、
図１１は本発明における第３実施形態に係る尾錠の要部の切断側面図、すなわち図１０におけるＢ−Ｂ線による切断側面図である。
前述の第１実施形態と同じ部品には同じ番号を付することで、それらの部品への説明が
省略される。
第１実施形態と同様に、延出部３は、一方のアーム部４と他方のアーム部５とを含む。
一方のアーム部４の開放端と、他方のアーム部５の開放端との間に、バンドの幅方向に沿って架橋部１３が形成される。架橋部１３は、アーム部４と５の開放端それぞれをつなぐ。この架橋部１３は、湾曲部１４を備える。
【００４２】
湾曲部１４は、架橋部１３をバンドの幅方向に沿って等分する、架橋部１３の中央近傍に位置する。湾曲部１４は、外方に向けて、すなわち挿通枠部２と延出部３が構成する枠体の外方に向けて、略Ｕ字型に湾曲して突出する。この湾曲部１４の内側に、上下に貫通した空間であるスリット６が形成される。図１０に図示されるように、スリット６が、延出部３に対して相対的に回動する突棒２１を通過させる。
また、湾曲部１４の頂点近傍、すなわち、架橋部１３をバンドの幅方向に沿って等分する、架橋部１３の中央近傍に位置して、単一の台座部１５が配置される。この台座部１５の上面に装飾要素１６として輝石が載置される。
【００４３】
湾曲部１４が描く円弧の径と曲率は、スリット６の大きさを規定する。湾曲部１４は、突棒２１が通過するに充分な空間を確保するように、外方に向けて湾曲する。図１０に準ずれば、延出部３に対して相対的に回動する突棒２１と、延出部３の台座部１５とが干渉しないように、湾曲部１４は、外方に向けて湾曲する。
【００４４】
また、図１１を参照すれば、第１実施形の尾錠における台座部と同じく、単一の台座部１５は、架橋部１３より下方に向けて、あるいは他方のバンド部３０における重ね領域３１の上面に向けて突出することが理解される。
より詳しくは、架橋部１３の上面と、一方のアーム部４と他方のアーム部５それぞれの上面は、同一平面を成す。しかしながら、架橋部１３における上下方向の厚みは、一方のアーム部４と他方のアーム部５における上下方向の厚みより薄い。その反面、架橋部１３につながった台座部１５における上下方向の厚みは、架橋部１３における上下方向の厚みより厚い。この台座部１５の下面は、両アーム部４と５の下面と同一平面を成す。結果として、台座部１５は、架橋部１３より突出する。
よって、台座部１５は、下方に向けて、あるいは他方のバンド部３０の重ね領域３１の上面に向けて、部分的に突出する凸状の接触部として機能する。これら台座部１５の下面が、重ね領域３１の上面に接触するための接触面として機能する。
【００４５】
この第３実施形の尾錠においては、第１実施形のように、スリット６によって延出部３が分断されない。よって、延出部３の耐久性、ひいては尾錠そのものの耐久性が向上される。
また、前述したように、人間の視点は、湾曲部１４の頂点近傍に滞留しやすいので、湾曲部１４の頂点近傍に配置された装飾要素１６は、極めて目立つ位置にある。よって、この装飾部材１６によって、尾錠の延出部３の美観が著しく高められる。
【００４６】
この第３実施形の尾錠における、説明されない他の部分は、第１実施形における尾錠と同じである。
なお、この第３実施形における尾錠では、単一の台座部１５が湾曲部１４に設置されたが、湾曲部１４に複数の台座部が配置され、それらそれぞれに装飾要素が載置されてもよい。
【００４７】
以上の実施形態は、本発明を説明するための最も単純な例にすぎない。たとえば、一方のバンドや突棒を挿通枠部に連結する構造、装飾要素を延出部に固定する構造などについては、当業者であれば適宜変更可能である。
また、本発明は、部品それぞれの材質や形状をなんら限定しない。
【産業上の利用可能性】
【００４８】
本発明における腕時計バンドの尾錠は、可撓性の腕時計バンド、あるいは略Ｃ型に湾曲された剛体のバングルバンドの尾錠として採用されることにより、前述の顕著な効果を発揮する。しかしながら、本発明における尾錠は、腕時計バンドのみならず、ブレスレットなどのように、身体に巻回されて装着される帯状装身具全般にも利用可能である。
【図面の簡単な説明】
【００４９】
【図１】本発明における第１実施形態に係る尾錠の分解斜視図である。
【図２】本発明における第１実施形態に係る尾錠の施錠前の斜視図である。
【図３】本発明における第１実施形態に係る尾錠の施錠後の斜視図である。
【図４】本発明における第１実施形態に係る尾錠の別の斜視図である。
【図５】本発明における第１実施形態に係る尾錠のさらに別の斜視図である。
【図６】本発明における第１実施形態に係る尾錠の平面図である。
【図７】本発明における第１実施形態に係る尾錠における要部の切断側面図である。
【図８】同尾錠における要部の別の切断側面図である。
【図９】本発明における第２実施形態に係る尾錠の平面図である。
【図１０】本発明における第３実施形態に係る尾錠の平面図である。
【図１１】本発明における第３実施形態に係る尾錠の要部の切断側面図である。
【図１２】従来の尾錠の分解斜視図である。
【図１３】従来の尾錠の施錠後の斜視図である。
【図１４】従来の尾錠の別の斜視図である。
【図１５】従来の尾錠のさらに別の斜視図である。
【符号の説明】
【００５０】
１      尾錠
２      挿通枠部
３      延出部
４      一方のアーム部
５      他方のアーム部
６      スリット
７      一方の台座部
８      装飾要素
９      他方の台座部
１０    装飾要素
１１    一方の脚部
１２    他方の脚部
１３    架橋部
１４    湾曲部
１５    台座部
１６    装飾要素
２０    一方のバンド部
２１    突棒
２２    抑え環
２３    連結ピン
３０    他方のバンド
３１    重ね領域
３２    長さ調整孔
５０    尾錠
５１    挿通枠部
５２    延出部
【図１】
2007252739.tif 000003
【図２】
2007252739.tif 000004
【図３】
2007252739.tif 000005
【図４】
2007252739.tif 000006
【図５】
2007252739.tif 000007
【図６】
2007252739.tif 000008
【図７】
2007252739.tif 000009
【図８】
2007252739.tif 000010
【図９】
2007252739.tif 000011
【図１０】
2007252739.tif 000012
【図１１】
2007252739.tif 000013
【図１２】
2007252739.tif 000014
【図１３】
2007252739.tif 000015
【図１４】
2007252739.tif 000016
【図１５】
2007252739.tif 000017